(57)【特許請求の範囲】
【請求項１】
複数の基地局は、移動局から送信される信号を受信し、
前記複数の基地局は、前記移動局から送信される信号の誤り判定と受信電力の測定とを行い、
前記複数の基地局は、前記誤り検出の結果と前記受信電力の測定値とを、他の基地局にマルチキャスト通知を行い、
前記複数の基地局は、各受信電力値に基づいて、自局の受信電力値が全ての基地局における受信電力値の中で最も大きいか否かを判定し、
自局における受信電力値が最も大きい基地局は、前記誤り判定結果の何れか１つが誤りでないとされた場合には前記移動局に対して再送を要求しない旨の応答を返信し、前記誤り判定結果の全てが誤りであるとされた場合には前記移動局に対して再送を要求する旨の応答を返信することを特徴とする再送制御方法。
【請求項２】
移動局から送信される信号の再送を制御する基地局における再送制御装置において、
移動局から送信される信号を受信する受信手段と、
前記受信された信号の誤り判定と受信電力値の測定とを行う誤り判定手段と、
前記誤り判定結果と前記受信電力値とを他の基地局にマルチキャスト通知を行い、他の基地局からマルチキャスト通知された誤り判定結果と受信電力値とを受信する判定結果交換手段と、
前記受信電力値と、受信した各受信電力値とに基づいて、自局の受信電力値が全ての基地局における受信電力値の中で最も大きいか否かを判定し、自局における受信電力値が最も大きい場合に、前記判定結果の何れか１つが誤りでないとされた場合には前記移動局に対して再送を要求しない旨の応答を返信し、前記判定結果の全てが誤りであるとされた場合には前記移動局に対して再送を要求する旨の応答を返信する応答返信手段と、
を備えることを特徴とする再送制御装置。
【発明の詳細な説明】
【０００１】
【発明の属する技術分野】
本発明は、基地局において移動局からの信号の再送制御を行う再送制御方法及び装置に関する。
【０００２】
【従来の技術】
従来から、通信システムにおける信号の再送制御においては、通常、応答確認の方式が採用されることが多い。この応答確認方式では、送信側からの信号が受信側で受信されると、その受信側において信号が正しく受信されたか否か、具体的には信号誤りがあるか否かの判定が行われる。そして、信号が正しく受信された場合には再送を要求しない応答であるＡＣＫ（acknowledgement ：肯定応答）が送信側に返送され、正しく受信されなかった場合には再送を要求する応答であるＮＡＣＫ（negative acknowledgement：否定応答）が送信側に返送される。送信側では、ＮＡＣＫを受信した場合には、対応する信号の再送が行われる。
【０００３】
このような再送制御は、通信チャネルを介して移動局と基地局との間で通信を行う通信システムにおいても採用されている。例えば、移動局から基地局へ送信される信号（以下、「上り情報信号」と言う。）の再送制御においては、送信側である移動局は、ある特定の基地局を通信相手として信号を送信している。通信相手である基地局は、受信した上り情報信号の誤り判定を行い、誤りがある場合にはＡＣＫを、誤りがない場合にはＮＡＣＫを、それぞれ移動局へ返送する。移動局は、ＮＡＣＫを受信した場合には、対応する上り情報信号の再送を行う。
【０００４】
【発明が解決しようとする課題】
ところで、上述の通信チャネルを介して移動局と基地局との間で通信を行う通信システムであって、移動局からの上り情報信号が通信相手の基地局以外の基地局においても受信されるシステムでは、通信相手の基地局で上り情報信号が正しく受信されない場合でも、隣接する他の基地局ではその信号が正しく受信されることもある。
【０００５】
しかしながら、従来の再送制御方法では、通信相手の基地局において上り情報信号に誤りがあると判定されると、他の基地局で正しく受信されていたとしても、移動局に対してＮＡＣＫが返送され、再送が行われていた。このような非効率的な再送制御は、再送処理の負担を増大させるとともに、通信チャネルの有効利用を妨げる要因にもなっていた。
【０００６】
本発明は、上記問題点を解決するものであり、その目的は、効率的な再送制御を行うことが可能な再送制御方法及び装置を提供することにある。
【０００７】
【課題を解決するための手段】
上記の目的を達成するため、本発明によれば、複数の基地局は、移動局から送信される信号を受信し、前記複数の基地局は、前記移動局から送信される信号の誤り判定を行い、前記移動局の通信相手の基地局は、他の基地局における誤り判定の結果を取得し、前記移動局の通信相手の基地局は、前記判定結果の何れか１つが誤りでないとされた場合には前記移動局に対して再送を要求しない旨の応答を返信し、前記判定結果の全てが誤りであるとされた場合には前記移動局に対して再送を要求する旨の応答を返信する。
【０００８】
このような再送制御方法では、複数の基地局で誤り判定を行い、何れかの基地局において誤りでないと判定された場合には、移動局に対して再送を要求しない旨の応答が返送される。従って、再送処理が必要最小限に抑えられ、効率的な再送制御が可能となり、再送処理の負担を抑制し、併せて通信チャネルの有効利用を図ることも可能となる。
【０００９】
また、本発明によれば、複数の基地局は、移動局から送信される信号を受信し、前記複数の基地局は、前記移動局から送信される信号の誤り判定を行い、基地局間で前記誤り判定の結果を交換し、所定の基地局は、前記判定結果の何れか１つが誤りでないとされた場合には前記移動局に対して再送を要求しない旨の応答を返信し、前記判定結果の全てが誤りであるとされた場合には前記移動局に対して再送を要求する旨の応答を返信する。
【００１０】
このような再送制御方法によっても、再送処理が必要最小限に抑えられ、効率的な再送制御が可能となり、再送処理の負担を抑制し、併せて通信チャネルの有効利用を図ることも可能となる。
【００１１】
また、本発明によれば、前記再送制御方法において、前記所定の基地局は、前記判定結果を交換した基地局のうち、受信電力が最大の基地局である。
【００１２】
ある基地局において、移動局からの信号の受信電力が各基地局の中で最大であれば、その基地局から移動局に送信される信号の移動局における受信電力も大きいと考えられる。従って、そのような基地局から再送制御のための応答を移動局へ返信することにより、当該移動局が、その応答を受信する可能性を高め、より確実な再送制御が可能となる。
【００１３】
また、請求項２に記載された発明は、請求項１に記載された再送制御方法に適した再送制御装置である。
【００１４】
【発明の実施の形態】
以下、本発明の実施の形態を図面に基づいて説明する。図１は、本発明の実施の形態に係る再送制御方法及び装置が適用される第１実施例の通信システムのネットワーク構成例を示す図である。
【００１５】
同図に示す通信システムでは、一の移動局から送信される上り情報信号を複数の基地局が受信し、これら各基地局が受信信号の誤り判定を行い、更に移動局の通信相手である基地局が、移動局からの信号を受信した全ての基地局における誤り判定の結果を取得して、全ての判定結果が誤りありとの判定結果である場合にのみ、移動局に再送を要求すべくＮＡＣＫを返送する。
【００１６】
この通信システムは、移動局１、Ｎ個の基地局２−１〜２−Ｎ、バックボーンネットワーク３を備えて構成されている。また、この通信システムは、ＩＰネットワークにより構成されており、基地局２−１〜２−Ｎには、固有のＩＰアドレスが付与されている。
【００１７】
本実施例は、移動局１が、基地局２−２を通信相手として上り情報信号を送信している場合である。ところで、この上り情報信号は通信相手の基地局２−２のみならず、隣接する他の基地局２−１、２−３によっても受信される。
【００１８】
上り情報信号を受信した各基地局２−１〜２−３は、それぞれ受信した上り情報信号に誤りがあるか否かの判定を行う。各基地局２−１〜２−３において誤り判定が行われると、基地局２−１、２−３は、移動局１の通信相手である基地局２−２に対し、その誤り判定結果を、バックボーンネットワーク３を介して送信する。ここでは、基地局２−１、２−３は、上り情報信号に基づいて、移動局１の通信相手が基地局２−２であることを認識可能であるものとする。
【００１９】
例えば、上り情報信号に、その宛先として移動局１の通信相手である基地局２−２のＩＰアドレスが設定されていれば、基地局２−１、２−３は、そのＩＰアドレスから移動局１の通信相手が基地局２−２であることを認識することができ、また、誤り判定の結果を送信する際に、そのＩＰアドレスを宛先として設定することにより、基地局２−２に対し、誤り判定結果を送信することができる。
【００２０】
基地局２−２は、基地局２−１、２−３からの誤り判定結果を受信すると、これらと自局における誤り判定結果とを解析し、受信した上り情報信号に誤りがないとの判定結果が含まれているか否かを判定する。誤りなしとの判定結果が含まれている場合には、その判定結果の送信元である基地局が受信した信号を使用すればよく、移動局１から上り情報信号を再送する必要はない。このため、基地局２−２は、移動局１に対し、ＡＣＫを返送する。移動局１は、このＡＣＫを受信した場合には信号の再送を行わない。
【００２１】
一方、誤りなしとの判定結果が含まれていない場合、即ち全ての判定結果が、受信した上り情報信号に誤りがあることを示している場合には、何れの基地局が受信した信号も使用することができない。このため、基地局２−２は、移動局１に対し、ＮＡＣＫを返送する。移動局１は、このＮＡＣＫを受信した場合には上り情報信号の再送を行う。
【００２２】
このように、本実施例の通信システムでは、移動局の通信相手の基地局のみならず、当該移動局からの上り情報信号を受信した基地局においても、移動局からの上り情報信号の誤り判定を行っており、何れかの基地局で誤りなしとの判定が行われた場合には、移動局に対してＡＣＫが返送され、再送は行われない。従って、再送処理が必要最小限に抑えられるため、従来のように移動局の通信相手の基地局における誤り判定結果のみに基づいて再送制御を行う場合よりも、効率的な再送制御が可能となる。
【００２３】
なお、本実施例では、誤り判定結果の送信先は、移動局１の通信相手である基地局２−２であったが、これに限定されるものではなく、何れか一の基地局であれば良い。
【００２４】
次に、他の実施例について説明する。図２は、本発明の実施の形態に係る再送制御方法及び装置が適用される第２実施例の通信システムのネットワーク構成例を示す図である。
【００２５】
同図に示す通信システムでは、一の移動局から送信される上り情報信号を複数の基地局が受信し、これら各基地局が受信信号の誤り判定と受信電力値の測定とを行い、その誤り判定結果及び受信電力値を基地局間で交換し、受信電力値の最も大きい基地局が、全ての判定結果が誤りありとの判定結果である場合にのみ、移動局に再送を要求すべくＮＡＣＫを返送する。
【００２６】
この通信システムは、図１に示した通信システムと同様、移動局１、Ｎ個の基地局２−１〜２−Ｎ、バックボーンネットワーク３を備えて構成されている。また、この通信システムは、ＩＰネットワークにより構成されており、基地局２−１〜２−Ｎには、固有のＩＰアドレスが付与され、更に全ての基地局２−１〜２−Ｎには、マルチキャスト通知を可能にすべく同一のＩＰアドレス（基地局マルチキャストアドレス）が付与されている。
【００２７】
本実施例は、移動局１が、通信相手の基地局を定めずに上り情報信号を送信している場合である。この上り情報信号は基地局２−１〜２−３によって受信される。
【００２８】
上り情報信号を受信した各基地局２−１〜２−３は、それぞれ受信した上り情報信号に誤りがあるか否かの判定を行うとともに、その電力値（受信電力値）を測定する。これら誤り判定結果と受信電力値は、基地局マルチキャストアドレスを宛先とするマルチキャストパケットに含められて、バックボーンネットワーク３を介して他の基地局へ送信される。
【００２９】
各基地局２−１〜２−３は、上述のマルチキャストパケットを受信すると、当該マルチキャストパケットに含まれる誤り判定結果及び受信電力値と、自局における誤り判定結果及び受信電力値とに基づいて、再送制御用テーブルを作成する。
【００３０】
図３は、再送制御用テーブルの構造例を示す図である。同図に示す再送制御用テーブルは、上り情報信号の送信元である移動局１のＩＰアドレス（移動局アドレス）、移動局１からの上り情報信号を受信した基地局２−１〜２−３のＩＰアドレス（基地局アドレス）、当該基地局における上り情報信号の誤り判定結果及び受信電力値が対応付けられている。
【００３１】
このような再送制御用テーブルの作成後、各基地局２−１〜２−３は、再送制御用テーブル内の各受信電力値を解析し、自局における受信電力値が全ての基地局における受信電力値の中で最も大きいか否かを判定する。自局における受信電力値が最も大きい基地局２−２は、再送制御用テーブル内の各誤り判定結果を解析し、受信した上り情報信号に誤りがないとの判定結果が含まれているか否かを判定する。
【００３２】
その後は上述した第１実施例と同様に、誤りなしとの判定結果が含まれている場合には、基地局２−２は、移動局１に対し、ＡＣＫを返送する。移動局１は、このＡＣＫを受信した場合には信号の再送を行わない。一方、誤りなしとの判定結果が含まれていない場合、即ち全ての判定結果が、受信した上り情報信号に誤りがあることを示している場合には、基地局２−２は、移動局１に対し、ＮＡＣＫを返送する。移動局１は、このＮＡＣＫを受信した場合には信号の再送を行う。
【００３３】
図４は、第２実施例における基地局の動作を示すフローチャートである。基地局２−１〜２−３は、移動局１からの上り情報信号を受信すると（Ｓ１）、当該上り情報信号に誤りがあるか否かの判定を行うとともに、その受信電力値を測定する（Ｓ２）。基地局２−１〜２−３は、これら誤り判定結果と受信電力値をマルチキャストパケットに含ませて、マルチキャスト通知を行うとともに、他の基地局からのマルチキャストパケットを受信する（Ｓ３）。
【００３４】
次に、基地局２−１〜２−３は、受信したマルチキャストパケットに含まれる誤り判定結果及び受信電力値と、自局における誤り判定結果及び受信電力値とに基づいて、再送制御用テーブルを作成し（Ｓ４）、当該再送制御用テーブル内の各受信電力値を解析し、自局における受信電力値が全ての基地局における受信電力地の中で最も大きいか否かを判定する（Ｓ５）。自局における受信電力値が最大でない基地局２−１、２−３は、一連の処理を終了する。
【００３５】
一方、自局における受信電力値が最大である基地局２−２は、再送制御用テーブル内の各誤り判定結果を解析し、受信した上り情報信号に誤りがないとの判定結果が含まれているか否かを判定する（Ｓ６）。
【００３６】
そして、誤りなしとの判定結果が含まれている場合には、基地局２−２は、移動局１に対し、ＡＣＫを送信し（Ｓ７）、誤りなしとの判定結果が含まれていない場合には、基地局２−２は、移動局１に対し、ＮＡＣＫを返送する（Ｓ８）。
【００３７】
このように、本実施例の通信システムでは、第１実施例と同様に、移動局の通信相手の基地局のみならず、当該移動局からの上り情報信号を受信した基地局においても、移動局からの上り情報信号の誤り判定を行っており、何れかの基地局で誤りなしとの判定が行われた場合には、移動局に対してＡＣＫが返送され、再送は行われないため、再送処理が必要最小限に抑えられ、効率的な再送制御が可能となる。
【００３８】
更に、本実施例では、移動局からの上り情報信号の受信電力値が最大である基地局が、当該移動局に対しＡＣＫやＮＡＣＫを送信する。上り情報信号の受信電力値が各基地局の中で最大の基地局であれば、その基地局から移動局に送信される信号の移動局における受信電力値も大きいと考えられるため、移動局がＡＣＫやＮＡＣＫを受信する可能性を高め、より確実な再送制御が可能となる。
【発明の効果】
上述の如く、本願発明は、移動局からの信号を受信した複数の基地局において、当該信号の誤り判定を行っており、何れかの基地局で誤りなしとの判定が行われた場合には、移動局に対して再送を要求しない旨の応答が返送され、再送は行われない。このため、再送処理が必要最小限に抑えられ、効率的な再送制御が可能となり、再送処理の負担を抑制し、併せて通信チャネルの有効利用を図ることも可能となる。
【図面の簡単な説明】
【図１】本発明の実施の形態に係る再送制御方法及び装置が適用される第１実施例の通信システムのネットワーク構成例を示す図である。
【図２】本発明の実施の形態に係る再送制御方法及び装置が適用される第２実施例の通信システムのネットワーク構成例を示す図である。
【図３】第２実施例において用いられる再送制御用テーブルの構造例を示す図である。
【図４】第２実施例における基地局の動作を示すフローチャートである。
【符号の説明】
１  移動局
２−１〜２−Ｎ  基地局
３  バックボーンネットワーク
【図１】
0003844957.tif 000002
【図２】
0003844957.tif 000003
【図３】
0003844957.tif 000004
【図４】
0003844957.tif 000005